(57)【要約】      （修正有）【課題】茶葉類を抽出するための茶濾し袋において、従来のものでは、標準的な茶葉類収容量を示す指標はなく、使用者の勘で茶葉類量を決めていたので、抽出液が濃過ぎたり薄過ぎたりすることがよくあった。【解決手段】茶葉類を収容できる濾し袋本体１の外面の所定高さ位置に、標準的な茶葉類収容量の目安となる目印２を設けていることにより、濾し袋本体１内に収容する標準的な茶葉類量を把握できるようにした。【選択図】図１
0003101192.tif 000002
【実用新案登録請求の範囲】
【請求項１】
茶葉類（Ｐ）を収容できる濾し袋本体（１）の外面の所定高さ位置に、標準的な茶葉類収容量の目安となる目印（２）を設けていることを特徴とする茶濾し袋。
【請求項２】
請求項１において、目印（２）は、濾し袋本体（１）の左右幅に亘る長さの糸（２１）を使用するとともに、該糸（２１）を直線状に伸ばした状態で糸両端部（２１ａ，２１ａ）を濾し袋本体外面の左右各側縁部（１３，１３）付近に熱溶着させていることを特徴とする茶濾し袋。
【請求項３】
請求項１において、目印（２）は、濾し袋本体（１）の外面に型押し痕跡（２２）により表示していることを特徴とする茶濾し袋。
【考案の詳細な説明】
【技術分野】
【０００１】
本願考案は、濾し袋本体内に茶葉類を収容して、熱湯中に茶葉類エキスを抽出するための茶濾し袋に関するものである。尚、本願の茶濾し袋は、茶葉類として日本茶・紅茶・コーヒー粉末等を扱えるものである。
【背景技術】
【０００２】
この種の一般的な茶濾し袋としては、図７に示すようなものがある。この図７に示す従来の茶濾し袋は１Ａは、耐水性及び水透過性を有する不織布製の濾材を使用し、表材１１と裏材１２とを底部が連続する状態で折返し、その左右各側縁部１３，１３を熱溶着（符号１４，１４）して袋状に形成している。又、この濾し袋１Ａには、上部に開口部１５が形成されているとともに、表材１１の上部に開口部１５を閉塞する折返し蓋１６が形成されている。
【０００３】
この従来例の茶濾し袋１Ａは、図８（Ａ）の偏平状態から、図８（Ｂ）に示すように袋内部を膨らませて該袋内部に所定量の茶葉類Ｐを収容した後、図８（Ｃ）に示すように折返し蓋１６を開口部１５上に被せると、茶濾し袋１Ａ内に茶葉類Ｐを封入できる。そして、この茶葉類入り茶濾し袋は、例えば急須内に収容し、熱湯を注ぐことによって茶葉類エキスを抽出できる。
【０００４】
尚、この種の茶濾し袋の一例として、例えば特許文献１に示されるものがある。
【０００５】
【特許文献１】実開平６−４４７６１号公報
【考案の開示】
【考案が解決しようとする課題】
【０００６】
ところで、茶濾し袋１Ａ内の茶葉類Ｐを熱湯中で抽出する際に、抽出液の濃さは、主として茶濾し袋内に収容する茶葉類量によって決まるが、この種の茶濾し袋の使用に不慣れな人では、茶濾し袋１Ａに対して茶葉類Ｐの量をどれ程入れたらよいか解らず、ときには茶葉類を多量に入れ過ぎて抽出液が濃過ぎたり、逆に茶葉類が少な過ぎて抽出液が薄過ぎたりすることがある。
【０００７】
本願考案は、このような問題に鑑み、濾し袋内に茶葉類を収容する際に、標準的な茶葉類収容量が外部から解るようにした茶濾し袋を提供することを目的としている。
【課題を解決するための手段】
【０００８】
本願考案は、上記課題を解決するための手段として、次の構成を有している。尚、本願考案は、日本茶・紅茶・コーヒー粉末等の茶葉類を収容して、茶葉類エキスを熱湯中に抽出するための茶濾し袋を対象にしている。
【０００９】
そして、本願考案の茶濾し袋は、茶葉類を収容できる濾し袋本体の外面の所定高さ位置に、標準的な茶葉類収容量の目安となる目印を設けて構成している。
【００１０】
濾し袋本体の濾材としては、耐水性及び水透過性を有する不織布製のものが一般的である。このような不織布は半透明であり、袋内部に茶葉類を入れたときに、袋外部から内部の茶葉類の量を目視により確認できる。
【００１１】
又、この種の茶濾し袋は、一般に正面視矩形で左右両側縁部が熱溶着されているとともに、上部に開口部を形成している。又、濾し袋本体の上部には、開口部を閉塞する折返し蓋が形成されている。そして、この茶濾し袋では、上部の開口部から濾し袋本体内に所定量の茶葉類を収容した後、該開口部を折返し蓋で閉塞すれば、袋内部の茶葉類が零れ出ることはない。
【００１２】
ところで、本願の茶濾し袋では、濾し袋本体の外面に茶葉類収容量の目安となる目印を設けているが、この目印の形成位置（高さ）は、濾し袋本体の大きさあるいは使用する茶葉類の種類にもよるが、袋の底辺から濾し袋本体の全高の１／３〜１／２の範囲に形成される。又、この目印は、１本だけでもよいが、上下に小間隔をもって複数本（例えば３本）設けてもよい。
【００１３】
この目印としては、濾し袋本体の左右幅に亘る長さの糸を使用できる。そして、該糸は、直線状に伸ばした状態で濾し袋本体外面の所定高さ位置に横向き姿勢であてがい、該糸の両端部を濾し袋本体外面の左右各側縁部付近に熱溶着させることによって取付けることができる。尚、この糸は、茶濾し袋の製造工程中に、１本の長い状態で長尺濾材の外面に沿わせ、袋の左右側縁部を熱溶着するときに同時に糸も熱接着させ、続いて濾し袋本体を順次切り離す（糸も切断される）ことで、糸両端部を濾し袋本体の左右各側縁部付近に熱接着させた状態で取付けることができる。このように目印として糸を使用したものでは、この茶濾し袋を使用して茶葉類を抽出するときに、糸の一端側の溶着を外すことで、該糸を茶濾し袋の吊り糸として利用できる。
【００１４】
又、この目印は、濾し袋本体の外面に型押し痕跡（例えば細幅のエンボス加工）により表示してもよい。尚、この型押し痕跡も、茶濾し袋の製造工程中においてエンボスロールにより形成することができる。
【００１５】
尚、この目印の表示として印刷したものでは、茶濾し袋を熱湯中に浸けるとインクが飲料中に溶出するという衛生上の問題が生じるが、目印として、上記のように糸を使用したもの、あるいは型押し痕跡を採用したもの等では、衛生上の問題は生じない。
【００１６】
そして、本願の茶濾し袋を使用するには、濾し袋本体の開口部を開いて、該開口部から袋内に茶葉類を投入するが、袋内に収容した茶葉類の量は袋外部から目視により確認できる。他方、濾し袋本体の外面には、標準的な茶葉類収容量の目安となる目印を設けているので、袋内に標準量の茶葉類を収容する場合には、茶葉類上端が目印の高さに達するまで茶葉類を収容すればよい。尚、抽出液の濃さの好みによって、袋内に収容させる茶葉類量を増減させることができるが、その場合も、上記目印を基準にして調整するとよい。
【考案の効果】
【００１７】
本願考案の茶濾し袋は、濾し袋本体の外面の所定高さ位置に、標準的な茶葉類収容量の目安となる目印を設けているので、この濾し袋本体内に茶葉類を収容する際に、この種の茶濾し袋の使用に不慣れな人でも、簡単に正確な量の茶葉類を収容できるという効果がある。
【００１８】
又、上記目印として、濾し袋本体の左右幅に亘る長さの糸（糸の両端部を熱溶着させている）を使用したものでは、該糸を茶葉類収容量の目印としての機能のほかに抽出時あるいは取出し時の吊り糸として利用することもできる。
【００１９】
又、上記目印として、型押し痕跡を採用したものでは、茶濾し袋の製造工程中に細幅のエンボス加工を施すことで目印を形成できるので、その目印形成作業が簡単となり、しかも衛生上の問題が生じない。
【実施例】
【００２０】
以下、図１〜図６を参照して本願の実施例を説明すると、図１〜図４には本願第１実施例の茶濾し袋が示され、図５には同第２実施例の茶濾し袋が示され、図６には同第３実施例の茶濾し袋が示されている。
【００２１】
第１〜第３の各実施例の茶濾し袋において、濾し袋本体１は、それぞれ一般的な不織布製のもの（同じもの）を採用している。即ち、第１〜第３の各実施例における各濾し袋本体１は、耐水性及び水透過性を有する不織布製の濾材を使用し、表材１１と裏材１２とを底部が連続する状態で折返し、その左右各側縁部１３，１３を熱溶着（符号１４，１４）して袋状に形成されている。又、この濾し袋本体１は、上部に開口部１５が形成されているとともに、表材１１の上部に開口部１５を閉塞する折返し蓋１６が形成されている。尚、濾し袋本体１の濾材（不織布）は半透明であり、袋内部に茶葉類Ｐを入れたときに、袋外部から内部の茶葉類Ｐの量を目視により確認できる。
【００２２】
第１〜第３の各実施例の茶濾し袋には、濾し袋本体１の外面の所定高さ位置に、標準的な茶葉類収容量の目安となる目印２を設けている。以下、この目印２について、各実施例ごとに説明する。
【００２３】
図１〜図４に示す第１実施例の茶濾し袋では、標準的な茶葉類収容量の目安となる目印２として、糸２１を使用している。この糸２１は、濾し袋本体１の左右幅に亘る長さを有している。そして、この糸２１は、直線状に伸ばした状態で濾し袋本体１の外面の所定高さ位置に横向き姿勢であてがい、糸両端部２１ａ，２１ａを濾し袋本体１の外面の左右側縁部１３，１３付近に熱溶着させることによって取付けている。この糸２１の取付高さ位置は、濾し袋本体１の大きさあるいは使用する茶葉類の種類（例えば日本茶用、紅茶用、コーヒー用等）にもよるが、例えば底辺から濾し袋本体１の全高の１／３〜１／２の範囲が適当である。尚、この糸２１は、茶濾し袋の製造工程中に、１本の長い状態で長尺濾材の外面に沿わせ、袋の左右側縁部を熱溶着（符号１４，１４）するときに同時に糸も熱接着させ、続いて濾し袋本体１を順次切り離す（糸も切断される）ことで、糸の両端部２１ａ，２１ａを濾し袋本体１の左右側縁部１３，１３付近に熱接着させた状態で取付けることができる。
【００２４】
この第１実施例の茶濾し袋は、次のようにして使用される。まず、濾し袋本体１内に茶葉類Ｐを収容するには、図２（Ａ）の偏平状態から、図２（Ｂ）に示すように袋内部を膨らませて開口部１５から袋内部に所定量の茶葉類Ｐを収容する。このとき、濾し袋本体１の濾材は半透明なので、袋内に収容した茶葉類Ｐの量を袋外部から目視により確認でき、該茶葉類Ｐを目印２（糸２１）の高さに達するまで投入する。このように、濾し袋本体１内に茶葉類Ｐを収容する際に、茶葉類収容量の目安となる目印２があると、標準的な茶葉類収容量が解り、茶葉類収容量が多いか少ないかについて迷わなくともよい。特に、この種の茶濾し袋を使用するのが不慣れな人でも、安心して標準量の茶葉類Ｐを収容できる。尚、茶葉類収容量を標準量（目印２の高さ）より多くするか少なくするかは、茶葉類の種類や抽出濃さの好みによって適宜に設定することができるのは勿論である。
【００２５】
そして、濾し袋本体１内に所定量の茶葉類Ｐを収容した後、図２（Ｃ）に示すように折返し蓋１６を開口部１５上に被せると、濾し袋本体１内に茶葉類Ｐを封入できる。その後、この茶葉類入りの茶濾し袋を急須の中に入れ、熱湯を注いで茶葉類エキスを抽出する。
【００２６】
又、この第１実施例の茶濾し袋では、目印２として糸２１を使用しているが、このように目印に糸２１を使用したものでは、この茶濾し袋を使用して茶葉類を抽出するときに、図３に鎖線図示（符号２１′）するように糸２１の一端側の溶着を外すことで、該糸２１を茶濾し袋の吊り糸として利用できる。そして、図４に示すように急須Ｑ内の熱湯中に茶葉類入りの茶濾し袋を浸すときに、吊り糸２１の先端を指でつまんで茶葉類入りの茶濾し袋を吊下げることができ、且つ抽出後の茶濾し袋を急須内から取出すときにも吊り糸２１を利用できる。
【００２７】
図５に示す第２実施例の茶濾し袋では、標準的な茶葉類収容量の目安となる目印２として、濾し袋本体１の外面に細幅の型押し痕跡２２による表示を採用している。この型押し痕跡２２も、底辺から濾し袋本体１の全高の１／３〜１／２の範囲に形成するのが適当である。又、この型押し痕跡２２は、茶濾し袋の製造工程中においてエンボスロールにより形成することができ、従ってこの型押し痕跡２２の加工は簡単に行える。尚、この型押し痕跡２２は、濾し袋本体１の表材１１と裏材１２の両方に形成してもよく、あるいは表材１１と裏材１２のいずれか一方のみに形成してもよい。
【００２８】
この図５の茶濾し袋でも、茶葉類収容量の目安となる型押し痕跡２２があるので、標準的な茶葉類量を簡単に把握できる。
【００２９】
図６に示す第３実施例の茶濾し袋では、茶葉類収容量の目安となる目印２として、３本の型押し痕跡２２，２２，２２を採用している。尚、この各型押し痕跡２２，２２，２２は、それぞれ細幅で、上下に小間隔をもって平行に形成している。
【００３０】
この第３実施例の茶濾し袋では、茶葉類収容量の目印２として上、中、下の３段階の型押し痕跡２２，２２，２２があるので、茶葉類の種類や抽出液の濃さの好みによって、上、中、下のいずれかの型押し痕跡２２を目安にして茶葉類を収容することができる。
【図面の簡単な説明】
【００３１】
【図１】本願第１実施例の茶濾し袋の斜視図である。
【図２】図１の茶濾し袋の使用方法説明図である。
【図３】図２（Ｃ）の状態の正面図である。
【図４】図３の茶葉類入り茶濾し袋の使用状態説明図である。
【図５】本願第２実施例の茶濾し袋の斜視図である。
【図６】本願第３実施例の茶濾し袋の斜視図である。
【図７】従来の茶濾し袋の斜視図である。
【図８】図７の茶濾し袋の使用方法説明図である。
【符号の説明】
【００３２】
１は濾し袋本体、２は目印、１１は表材、１２は裏材、１３は側縁部、１４は熱溶着部、１５は開口部、１６は折返し蓋、２１は糸、２２は型押し痕跡、Ｐは茶葉類である。
【図１】
0003101192.tif 000003
【図２】
0003101192.tif 000004
【図３】
0003101192.tif 000005
【図４】
0003101192.tif 000006
【図５】
0003101192.tif 000007
【図６】
0003101192.tif 000008
【図７】
0003101192.tif 000009
【図８】
0003101192.tif 000010